(57)【要約】【課題】  プライバシー保護が必要ない画面においても視覚性が悪くなるという課題を解決可能な携帯機器を提供する。【解決手段】  携帯機器（１）は、表示画面（表示部１２）の視野角を制限する視野角制御機能（視野角制御部１３）と、表示画面毎に視野角制御機能（視野角制御部１３）の有効及び無効を設定する制御設定手段（携帯機器制御部１１の制御設定部１１１）とを有する。【効果】  本発明は、プライバシー保護が必要ない画面においても視覚性が悪くなるという課題を解決することができるという効果が得られる。【選択図】      図１
2010169776.tif 000002
【特許請求の範囲】
【請求項１】
表示画面の視野角を制限する視野角制御機能と、
前記表示画面毎に前記視野角制御機能の有効及び無効を設定する制御設定手段とを有することを特徴とする携帯機器。
【請求項２】
前記制御設定手段は、前記視野角制御機能を有効にしたい表示画面を予め設定可能としたことを特徴とする請求項１記載の携帯機器。
【請求項３】
前記視野角制御機能の有効時に前記表示画面の表示制御の設定を行う表示制御設定手段を含むことを特徴とする請求項１または請求項２記載の携帯機器。
【請求項４】
前記表示制御設定手段は、前記表示制御の設定内容に応じて前記表示画面の背景色及びフォントの表示色の最適化を行って視覚性を改善する表示制御機能を含むことを特徴とする請求項３記載の携帯機器。
【請求項５】
携帯機器に表示画面の視野角を制限する視野角制御機能を設け、
前記携帯機器が、前記表示画面毎に前記視野角制御機能の有効及び無効を設定する制御設定処理を実行することを特徴とする視野角制御方法。
【請求項６】
前記携帯機器が、前記制御設定処理において、前記視野角制御機能を有効にしたい表示画面を予め設定可能としたことを特徴とする請求項５記載の視野角制御方法。
【請求項７】
前記携帯機器が、前記視野角制御機能の有効時に前記表示画面の表示制御の設定を行う表示制御設定処理を実行することを特徴とする請求項５または請求項６記載の視野角制御方法。
【請求項８】
前記携帯機器が、前記表示制御設定処理において、前記表示制御の設定内容に応じて前記表示画面の背景色及びフォントの表示色の最適化を行って視覚性を改善する表示制御機能を含むことを特徴とする請求項７記載の視野角制御方法。
【発明の詳細な説明】
【技術分野】
【０００１】
本発明は携帯機器及びそれに用いる視野角制御方法に関し、特にノートＰＣ（Ｐｅｒｓｏｎａｌ  Ｃｏｍｐｕｔｅｒ）や携帯電話機等の携帯機器における視野角制御方法に関する。
【背景技術】
【０００２】
公共交通機関での移動時に携帯機器の使用機会が増加しているが、ノートＰＣや携帯電話でのメール閲覧・作成等の覗き見される機会も増加しており、その対策として表示画面の視野角を制限する視野角制御機能が搭載されるものが出てきている（例えば、特許文献１〜４参照）。
【０００３】
この視野角制御としては、図４に示すように、視野角制御部によりバックライト光の偏光制御を行う方法がある。図４（ａ）は視野角制御ＯＦＦの状態を示し、図４（ｂ）は視野角制御ＯＮの状態を示している。
【０００４】
また、この視野角制御を含む機能設定ツリーを図５に示す。図５において、メニューＢ０の下には表示設定Ｂ１を配置し、表示設定Ｂ１の下には視野角制御Ｂ１１を配置している。さらに、視野角制御Ｂ１１の下には有効（視野角制御ＯＮ）Ｂ１２と、無効（視野角制御ＯＦＦ）Ｂ１３とを配置している。この有効Ｂ１２と無効Ｂ１３とのいずれかを設定することで、図４に示す制御が行われる。
【先行技術文献】
【特許文献】
【０００５】
【特許文献１】特開２００６−３１９５５４号公報
【特許文献２】特開２００７−０１１３１６号公報
【特許文献３】特開２００７−０９６９９２号公報
【特許文献４】特開２００８−０５２０５８号公報
【発明の概要】
【発明が解決しようとする課題】
【０００６】
しかしながら、上記のような表示部の視野角制御機能を有する携帯電話等の携帯機器においては、表示部の視野角制御機能を有効にしてしまうと、全ての画面にて有効となってしまい、特にプライバシー保護が必要ない画面においても視覚性が悪くなるという課題がある。
【０００７】
また、上記の携帯機器においては、表示部の視野角制御機能を有効にした場合、表示部の背景色・フォントの表示色の選択によっては視覚性が著しく低下するという弊害がある。
【０００８】
そこで、本発明の目的は上記の問題点を解消し、プライバシー保護が必要ない画面においても視覚性が悪くなるという課題を解決することができる携帯機器及びそれに用いる視野角制御方法を提供することにある。
【課題を解決するための手段】
【０００９】
本発明による携帯機器は、表示画面の視野角を制限する視野角制御機能と、
前記表示画面毎に前記視野角制御機能の有効及び無効を設定する制御設定手段とを備えている。
【００１０】
本発明による視野角制御方法は、携帯機器に表示画面の視野角を制限する視野角制御機能を設け、
前記携帯機器が、前記表示画面毎に前記視野角制御機能の有効及び無効を設定する制御設定処理を実行している。
【発明の効果】
【００１１】
本発明は、上記のような構成及び動作とすることで、プライバシー保護が必要ない画面においても視覚性が悪くなるという課題を解決することができるという効果が得られる。
【図面の簡単な説明】
【００１２】
【図１】本発明の第１の実施の形態による携帯機器の構成例を示すブロック図である。
【図２】本発明の第１の実施の形態における機能設定ツリーを示す図である。
【図３】本発明の第２の実施の形態における機能設定ツリーを示す図である。
【図４】（ａ）は視野角制御ＯＦＦの状態を示す図、（ｂ）は視野角制御ＯＮの状態を示す図である。
【図５】本発明に関連する視野角制御を含む機能設定ツリーを示す図である。
【発明を実施するための形態】
【００１３】
次に、本発明の実施の形態について図面を参照して説明する。まず、本発明による携帯機器における視野角制御の概要について説明する。本発明による携帯機器は、携帯電話等の携帯機器における表示部の視野角制御機能において、表示部の視野角制御機能の有効または無効を設定する制御設定手段と、視野角制御機能の有効時に表示画面の表示制御の設定を行う表示制御設定手段とを備えることを特徴とする。
【００１４】
制御設定手段は、表示部の視野角制御機能を有効または無効にする手段であり、表示部の視野角制御を有効にしたい携帯機器の画面を予め設定することができることを特徴とする。例えば、メールに関する画面等は視野角制御を有効とし、その他の画面では視野角制御を無効とすることで、プライバシー保護と視覚性との両立を確保することができる。
【００１５】
表示制御設定手段は、視野角制御有効時に、視野角が抑制されることにより、表示部の輝度低下やコントラスト低下等の弊害が発生するが、視野角制御有効時の背景色やフォントの表示色の最適化により視覚性を改善する表示制御機能を有している。
【００１６】
このように、本発明の携帯機器は、表示部の視野角制御機能を有する携帯電話等の携帯機器であり、表示部の視野角制御機能を有効・無効にする制御手段と、有効時の表示制御手段とを備えることによって、プライバシー保護が必要ない画面においても視覚性が悪くなるという課題を解決することができる。
【００１７】
図１は本発明の第１の実施の形態による携帯機器の構成例を示すブロック図である。図１において、携帯機器１は、携帯機器制御部１１と、表示部１２と、視野角制御部１３と、バックライト１４と、操作部１５とを備え、図４に示すように、視野角制御部１３によりバックライト１４からの出射光の偏光制御を行うことで、表示部１２の視野角制御を行っている。
【００１８】
携帯機器制御部１１は、携帯機器１全体の制御を行うとともに、上述した制御設定部１１１と表示制御設定部１１２とを備えている。携帯機器制御部１１は、表示部１２に表示データを出力し、視野角制御部１３に視野角制御信号を出力し、バックライト１４にバックライト制御信号を出力し、操作部１５から入力信号を入力する。
【００１９】
本発明の第１の実施の形態において、携帯機器制御部１１の制御設定部１１１及び表示制御設定部１１２は上記の制御設定手段及び表示制御設定手段のような動作を行い、これらによりメールに関する画面等の視野角制御を有効とし、その他の画面の視野角制御を無効とすることで、プライバシー保護と視覚性との両立を確保している。
【００２０】
図２は本発明の第１の実施の形態における機能設定ツリーを示す図である。図２において、メニューＡ０の下には表示設定Ａ１を配置し、表示設定Ａ１の下には視野角制御Ａ１１を配置している。
【００２１】
視野角制御Ａ１１の下には有効Ａ１２と無効Ａ１３とを配置し、有効Ａ１２の下には有効画面選択Ａ１２１を配置している。有効画面選択Ａ１２１の下には待ち受け画面Ａ１２２と、メニュー画面Ａ１２３と、メール画面Ａ１２４とを配置している。
【００２２】
本実施の形態では、このメール画面Ａ１２４の下に有効（視野角制御ＯＮ）Ａ１２５と、無効（視野角制御ＯＦＦ）Ａ１２６とを配置し、これら有効Ａ１２５と無効Ａ１２６とのいずれかを設定することで、図４に示す表示部１２の視野角制御を行っている。
【００２３】
尚、図示していないが、待ち受け画面Ａ１２２及びメニュー画面Ａ１２３の下にも有効（視野角制御ＯＮ）と、無効（視野角制御ＯＦＦ）とを配置することも可能である。この場合には、待ち受け画面Ａ１２２及びメニュー画面Ａ１２３の視野角制御は無効に設定されているものとする。
【００２４】
あるいは、視野角制御が不要な画面（待ち受け画面Ａ１２２、メニュー画面Ａ１２３９には、有効（視野角制御ＯＮ）と無効（視野角制御ＯＦＦ）とを配置せず、視野角制御が必要な画面（メール画面Ａ１２４）のみに有効（視野角制御ＯＮ）と無効（視野角制御ＯＦＦ）とを配置することも可能である。この場合には、有効（視野角制御ＯＮ）と無効（視野角制御ＯＦＦ）とが配置されていない画面の視野角制御は無効に設定されているものとする。
【００２５】
図５に示す本発明に関連する技術では、視野角制御機能の有効・無効設定にて機能設定を行っているが、本実施の形態では、図２に示すように、有効画面選択Ａ１２１にて有効設定実施後、視野角制御を適用したい画面選択機能（待ち受け画面Ａ１２２、メニュー画面Ａ１２３、メール画面Ａ１２４）を追加している。
【００２６】
本実施の形態では、視野角制御を適用したい画面（図２ではメール画面Ａ１２４）を選択し、有効（有効Ａ１２５）を設定することにより、選択した画面（メール画面Ａ１２４）にのみ視野角制御が実施されることとなる。一方、無効とした画面（図２では、待ち受け画面Ａ１２２、メニュー画面Ａ１２３）には視野角制御を適用せず、通常の視野角での表示となる。
【００２７】
このように、本実施の形態では、上記の携帯機器制御部１１の制御設定手段及び表示制御設定手段によりメールに関する画面（メール画面Ａ１２４）等の視野角制御を有効とし、その他の画面（待ち受け画面Ａ１２２、メニュー画面Ａ１２３）の視野角制御を無効とすることで、プライバシー保護と視覚性との両立を確保することができる。
【００２８】
よって、本実施の形態では、プライバシー保護が必要ない画面（図２の待ち受け画面Ａ１２２、メニュー画面Ａ１２３等）においても視覚性が悪くなるという課題を解決することができる。
【００２９】
図３は本発明の第２の実施の形態における機能設定ツリーを示す図である。図３において、本実施の形態では、メール画面Ａ１２４の下の有効Ａ１２５の下に、その下に背景色設定Ａ１２５２と文字色設定Ａ１２５３とが配置された表示設定Ａ１２５１を配置するようにした以外は、図２に示す本発明の第１の実施の形態と同様の機能設定ツリーとなっている。
【００３０】
本実施の形態では、図２に示す本発明の第１の実施の形態の構成に加えて、視野角制御有効とした画面に対し、予め設定されている画面の背景色・フォントをカスタマイズ可能な設定機能（背景色設定Ａ１２５２と文字色設定Ａ１２５３とが配置された表示設定Ａ１２５１）を追加してる。視野角制御時に画面が見にくい色設定・フォント設定となっている場合には、この設定機能にて最適化を実施することができる。
【００３１】
本発明は、表示部１２の視野角制御部１３を有効・無効にする制御手段（携帯機器制御部１１）を設け、表示部１２の視野角制御を有効にしたい携帯機器１の画面を予め設定できるようにしている。例えば、メールに関する画面等は有効とし、その他画面では無効とし、プライバシー保護と視覚性との両立を確保している。つまり、本発明では、プライバシー保護が必要ない画面においても視覚性が悪くなるという課題を解決することができる。
【００３２】
また、本発明では、表示部１２の視野角制御有効時の表示制御手段（携帯機器制御部１１）を設け、視野角制御有効時に視野角を抑制することにより、ユーザの画面設定状況によっては、表示部１２の輝度低下やコントラスト低下等の弊害が発生するが、視野角制御有効時の背景色やフォントの表示色の最適化により、視覚性を改善することができる。
【００３３】
尚、本発明は、上記のような画面毎に視野角制御の有無や視野角の設定を行うことに限らず、端末のメニュー画面により選択できる機能毎に視野角制御の有無や視野角の設定を行うことも可能である。
【００３４】
例えば、視野角制御を有効と設定する機能としては、メール機能や電話帳を管理する機能等があり、視野角制御を無効と設定する機能としては、Ｗｅｂブラウザ機能やカメラ機能、選択画面を選択制御を行う機能等がある。
【符号の説明】
【００３５】
１  携帯機器
１１  携帯機器制御部
１２  表示部
１３  視野角制御部
１４  バックライト
１５  操作部
１１１  制御設定部
１１２  表示制御設定部
Ａ０  メニュー
Ａ１  表示設定
Ａ１１  視野角制御
Ａ１２  有効
Ａ１３  無効
Ａ１２１  有効画面選択
Ａ１２２  待ち受け画面
Ａ１２３  メニュー画面
Ａ１２４  メール画面
Ａ１２５  有効
Ａ１２６  無効
Ａ１２５１  表示設定
Ａ１２５２  背景色設定
Ａ１２５３  文字色設定
【図１】
2010169776.tif 000003
【図２】
2010169776.tif 000004
【図３】
2010169776.tif 000005
【図４】
2010169776.tif 000006
【図５】
2010169776.tif 000007